(57)【特許請求の範囲】
【請求項１】
前面が開口した庫内に商品を温蔵，冷蔵状態に保存する本体キャビネットと、この本体キャビネットの開口を開閉する外扉と、この外扉を本体キャビネットにロックする主ロック装置とシリンダー錠付補助ロック装置とを備えた自動販売機であって、予備電源装置を内蔵し、常時は商用電源からの電力により運転制御され、商用電源の停止時には予備電源装置からの電力により商品を無料で供給する自動販売機において、
前記シリンダー錠付補助ロック装置のキー操作による解錠に基づいて予備電源装置への切換えを行うことを特徴とする自動販売機。
【請求項２】
請求項１に記載の自動販売機において、シリンダー錠付補助ロック装置はキー操作により回転するシリンダーに連結したカムと、このカムにより動作するスイッチを有し、シリンダー錠付補助ロック装置のキー操作による解錠に基づく前記スイッチの動作により予備電源装置への切換えを行うことを特徴とする自動販売機。
【請求項３】
請求項２に記載の自動販売機において、スイッチにはオフディレータイマの接点が直列接続されていることを特徴とする自動販売機。
【発明の詳細な説明】
【技術分野】
【０００１】
この発明は、庫内に飲料や食料などの商品を内蔵し、購入者が代金を投入して希望する商品を選択すると庫内に内蔵した商品を販売する自動販売機にかかり、特に、震災などの災害によりライフラインが停止した災害時に庫内に内蔵した商品を無料で供給できるようにした災害対策用の自動販売機に関する。
【背景技術】
【０００２】
清涼飲料などを販売する飲料自動販売機は全国の津々浦々まで普及している。飲料自動販売機として一般的な缶，ペットボトルを販売する自動販売機の構成を図６の斜視図に示す。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室は、缶、瓶、ペットボトルなどの商品を収納するとともにその下端に選択ボタンの操作により商品を搬出する商品払出機構を有する商品ラックが収設され、また、各商品収納室の下部には、当該各商品収納室を冷却もしくは加熱して商品ラックに収納した商品を冷蔵・温蔵状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品サンプル８０を左右に一列に並べて載置したディスプレイ台７０が上下方向に３段取付けられている。前記透明板４０には、各ディスプレイ台７０と対峙する位置に商品選択ボタンユニット９０が設けられ、商品選択ボタンユニット９０は、ディスプレイ台７０に載置された各商品サンプル８０に対応して左右に一列に並べて設けた商品選択ボタン（不図示）を有している。さらに外扉２０の前面には硬貨投入部２１の投入口、紙幣投入部２２の投入口、釣銭返却部２３の返却口、商品取出部２４の取出口に加え、不図示の返却レバーおよびロック付ハンドルなどが設けられ、外扉２０の背面には硬貨投入部２１の投入口に連通したコインメカニズム２５、このコインメカニズム２５に連通した金庫２６、紙幣投入部２２の投入口に連通した紙幣識別装置２７（以下、ビルバリデータという）などが設けられている。なお、ディスプレイ室５０には商品サンプル８０などを明るく照らす蛍光灯（不図示）が配設されている。
【０００４】
前記自動販売機は商用電源からの電力供給を受けてディスプレイ室５０内の蛍光灯を点灯制御して商品サンプル８０などを明るく照らしだすとともに冷却／加熱ユニットを運転制御して庫内の商品を冷却／加熱し、硬貨または紙幣が投入されるとコインメカニズム２５またはビルバリデータ２７で識別して投入金額を積算するととともにこの投入金額と商品価格とを比較して商品選択ボタンユニット９０の販売可能ランプを点灯制御し、選択ボタンが操作されると選択された商品価格と投入金額とを演算して商品ラックに搭載された商品払出機構に販売信号を供給する。商品ラックに搭載された商品払出機構はソレノイドの励磁・釈放動作により動作して商品ラックに収納した商品を１個づつ搬出する。
【０００５】
前述したように自動販売機は商用電源からの電力供給を受けて運転制御を行うように構成されており、また、外扉２０はキー操作によりロック付ハンドルを鎖錠・開錠して開閉するように構成され、外扉２０を閉じた状態で扉ロック装置により本体キャビネット１０にロックされている。ところで、震災などの災害によりライフラインが停止した場合には自動販売機の運転制御も停止するが、自動販売機の庫内には缶，ペットボトルなどの清涼飲料が収納されており、これを非常食品として提供することがすでに提案されている。その一つが商用電源の停止時に外扉を開放するものである。これは、扉ロック装置を常時においては商用電源により外扉を閉位置にロックする状態とし、商用電源が停止した非常時には外扉のロックを解除して開放可能とし、庫内の商品を自由に取出せるようにしたものである（例えば、特許文献１）。また、商用電源の停止時に外扉を開放することなく庫内の清涼飲料を供給するものも提案されている。これは、機内に予備電源装置（例えば、バッテリー）を搭載し、商用電源の停止を検出して災害運転モードに移行し、予備電源装置から販売動作に必要な箇所にのみ電力を供給して販売可能ランプを点灯させ、選択ボタンの操作により商品払出機構を動作させて商品を無料で供給するようにしたものである（例えば、特許文献２）。
【０００６】
【特許文献１】特開２０００−１２３２２８号公報
【特許文献２】特開２０００−１３２７３７号公報
【発明の開示】
【発明が解決しようとする課題】
【０００７】
ところで、自動販売機における外扉の背面にはコインメカニズム２５やビルバリデータ２７などの貨幣処理機構および金庫２６が配設されている。従って、特許文献１に代表されるように商用電源の停止時に外扉を開放可能とした自動販売機においては外扉開放時に貨幣処理機構や金庫が露出してしまうことから盗難のおそれがあり、貨幣処理機構や金庫に盗難防止の手段を施さねばならないとともに自動販売機の電源コード（プラグ）を故意に抜き取られて商用電源の停止状態にされてしまうおそれもある。かかる点特許文献２に代表されるように商用電源の停止時には外扉を開放することなく無料で清涼飲料を供給するものでは前述した問題点を解決することができる。しかしながら、この場合には商用電源の停止状態が災害に伴うライフラインの停止であるのか、自動販売機の電源コードの故意の抜き取りであるのかを判定せねばならず、災害時の無料供給を優先する余りに故意に悪戯されるおそれがある。また、商用電源の停止時に外扉を開放することなく庫内の清涼飲料を取出せるようにするため、外扉にキー操作により開閉する小扉を設けるとともに手動で商品払出機構を動作する手動操作機構を付加し、この手動操作機構の操作端が小扉に臨むようにすることもできる。しかしながら、この場合には自動販売機の構造自体を変更しなければならないことからコストアップするという問題を有する。
【０００８】
本発明は上記の点に鑑みなされたものであり、その目的は前記課題を解決し、大幅なコストアップを招くことなく災害時には庫内の商品を無料で供給することができるとともに通常時には故意により商品の只取を防止することができる自動販売機を提供することにある。
【課題を解決するための手段】
【０００９】
上記目的を達成するために本発明によれば、前面が開口した庫内に商品を温蔵，冷蔵状態に保存する本体キャビネットと、この本体キャビネットの開口を開閉する外扉と、この外扉を本体キャビネットにロックする主ロック装置とシリンダー錠付補助ロック装置とを備えた自動販売機であって、予備電源装置を内蔵し、常時は商用電源からの電力により運転制御され、商用電源の停止時には予備電源装置からの電力により商品を無料で供給する自動販売機において、前記シリンダー錠付補助ロック装置のキー操作による解錠に基づいて予備電源装置への切換えを行うことを特徴とする（請求項１）
【００１０】
また、本発明によれば、シリンダー錠付補助ロック装置はキー操作により回転するシリンダーに連結したカムと、このカムにより動作するスイッチを有し、シリンダー錠付補助ロック装置のキー操作による解錠に基づく前記スイッチの動作により予備電源装置への切換えを行うことができ（請求項２）、さらに、スイッチはオフディレータイマの接点を直列接続するように構成することができる（請求項３）。
【発明の効果】
【００１１】
前述したように構成された本発明によれば、シリンダー錠付補助ロック装置をキー操作してロックを解除しても外扉は主ロック装置によりロック状態にあることから開放されることを防止でき、ライフラインの停止は自動販売機を所有する所有者によって判断されることから判定条件を設定する必要がなく、シリンダー錠付補助ロック装置を二重にロックする機能と災害発生時に商用電源から予備電源装置への切換えを行う機能を持たせることができ、また、自動販売機の電源コード（プラグ）を故意に抜き取って商用電源を停止状態として商品を只取する悪戯にも対処することができる。
【発明を実施するための最良の形態】
【００１２】
以下、本発明の実施の形態を図１〜図５に示す実施例に基づいて説明する。なお、実施例の図中で図６に対応する部材には同じ符号を付してその説明は省略する。
図１は図６に示した缶飲料などを販売する自動販売機の正面図である。図１において、１０は断熱材で囲まれた庫内に缶飲料などを格納した本体キャビネット、２０は本体キャビネット１０の前面にヒンジ２０ａにより開閉自在に装着された外扉である。外扉２０の前面の上部域は透明板４０で覆われたディスプレイ室５０として形成されている。このディスプレイ室５０には本体キャビネット１０の庫内に収納した商品に対応した複数の商品見本８０を左右に一列に並べて載置したディスプレイ台７０が上下方向に３段取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン９０aを有している。
【００１３】
前記外扉２０の前面には操作パネルＰが設けられ、この操作パネルＰには硬貨投入口２１ａ、紙幣投入口２２ａ、釣銭返却口２３ａ、商品取出口２４ａ、返却レバー２５ａ、シリンダー錠付きの主ロック装置１およびシリンダー錠付きの補助ロック装置２が組付けられている。前記本体キャビネット１０の前面を閉塞するように外扉２０を閉じた状態において主ロック装置１および補助ロック装置２を施錠することにより外扉２０が閉位置から開かないようにロックされる。なお、本体キャビネット１０の機内には商用電源の停止時にも商品を無料で供給するための予備電源装置（無停電電源装置）が配設されている。この発明では商用電源の停止時に前記キー付補助ロック装置２のキー操作に基づいて予備電源装置（無停電電源装置）への切換えを行うものであり、次に前記キー付補助ロック装置２について図２を用いて説明する。
【００１４】
図２は扉ロック装置を示し、（ａ）はその要部側面図、（ｂ）は要部正面図である。扉ロック装置は本体キャビネット１０の上下２箇所ないし上中下の３箇所に設けられ、その開口端から前方に突き出すように取付けられたフック状のロック受金１１と、外扉２０の背面側に装着して前記ロック受金１１に係脱するように上下方向へスライド可能に案内支持されたチャンネル形のロックバー（掛け金）１２と、外扉２０の前面に設けたシリンダー錠付きの主ロック装置１と、この主ロック装置１に並べて外扉１の前面に配したシリンダー錠付きの補助ロック装置２とにより構成されている。前記主ロック装置１は扉前面に設けたハンドル１ａと、ハンドル軸１０ａの後端に連結して前記ロックバー１２に連繋させた操作レバー１ｂとからなり、シリンダー錠付きの補助ロック装置２はシリンダー錠の後端に取付けた操作レバー２ａと、この操作レバー２ａに連動して横方向（前後方向）にスライド移動する閂２ｂとからなる。なお、ロックバー１２には前記ロック受金１１、操作レバー１ｂおよび閂２ｂに対応して角穴１２ａ，１２ｂ，１２ｃが開口している。
【００１５】
前記外扉２０を閉位置にロックするには外扉２０を閉じると図２に示すようにロックバー１２が下降し、その角穴１２ａがロック受金１１に係合する。この状態でハンドル１ａに設けたシリンダー錠をキー１３により施錠すると操作レバー１ｂがロックバー１２をこの位置から上方に移動できないように鎖錠して外扉２０をロックする。このように主ロック装置１で外扉２０を閉位置にロックした状態で、さらにシリンダー錠付き補助ロック装置２にキー１４を差し込んで施錠すると、補助ロック装置２は閂２ｂがロックバー１２の側面に開口した角穴１２ｃに嵌入してロックバー１２に係合し、これにより外扉２０を二重にロックする。この扉ロック状態から外扉２０を開く場合は、ハンドル１ａの解錠に先立って補助ロック装置２のシリンダー錠をキー１４により解錠して閂２ｂをロックバー１２から引き抜く。次いで、ハンドル１ａに設けたシリンダー錠にキー１３を差し込んで解錠した上でハンドル１ａを時計方向に回すと、操作レバー１ｂを介してロックバー１２が上方に引き上げられる。これにより、ロック受金１１とロックバー１２との係合が外れて外扉２０を開くことができるようになる。
【００１６】
次に、前記補助ロック装置２の構成について図３および図４を用いて説明する。図３は補助ロック装置２の分解斜視図、図４は補助ロック装置２の組立図である。なお、図３，図４においては図２に示した操作レバー２ａおよび閂２ｂを省略している。
図３において、２００は補助ロック装置２のシリンダー錠を示し、このシリンダー２００の外筒には鍔部２００ａ，六角柱部２００ｂ，円筒部２００ｃが形成され、外筒から突出する内筒２００ｄを有する。２０１は外扉２０の背面にねじＳ１，Ｓ２より固着される補助ロック装置２の取付金具であり、この取付金具２０１にはシリンダー錠２００を保護する箱形の保護枠２０２が溶接により固着される。この保護枠２０２は下面が開放し、背面に円筒部２００ｃが貫通する穴２０２ａが穿孔されている。２０３は断面略Ｌ字状のストッパーであり、一方の脚片にシリンダー錠２００の六角柱部２００ｂに係合する係合溝２０３ａを有する。２０４は前記保護枠２０２の背面にねじＳ３〜Ｓ５により固着される断面略コ字状のスイッチ取付枠であり、一方の脚片を切り起こしてスイッチ固定片２０４ａが形成され、このスイッチ取付片２０４ａに押釦スイッチＳＷが固定される。２０５は断面コ字状のカムであり、一方の脚片にはシリンダー錠２００の内筒２００ｄとこの内筒２００ｄに固着された一対の爪２００ｅ，２００ｅが嵌め込まれる長孔２０５ａを有し、他方の脚片がスイッチ取付枠２０４に軸２０６により軸支される。カム２０５は軸２０６を中心に回動（図では反時計方向）することにより押釦スイッチＳＷの操作片ＳＷ１を押圧して押釦スイッチＳＷを動作させものである。なお、２１０はシリンダー錠２００を囲繞するカバー枠である。
【００１７】
前記取付金具２０１には保護枠２０２が溶接により固着され、カム２０５を軸支したスイッチ取付枠２０４を前記保護枠２０２にねじＳ３〜Ｓ５により取付けて補助ロック装置アセンブリーとして予め組立てられる。この補助ロック装置アセンブリーは、図４に示すように、外扉２０の背面にねじＳ１，Ｓ２により固着される。ここで、取付金具２０１には補助ロック装置２のシリンダー錠２００が貫通する取付孔（図では保護枠２０２で隠れて見えない）が形成され、同様に外扉２０にもシリンダー錠２００が貫通する固定穴が形成されている。なお、外扉２０の固定穴はシリンダー錠２００の鍔部２００ａよりも小さく、円筒部２００ｃよりも大きく形成されている。外扉２０の背面に補助ロック装置アセンブリーを固定した後、外扉２０の前面からシリンダー錠２００を挿入する。このとき、保護枠２０２の穴２０２ａから突出するシリンダー２００の内筒２００ｄに固着された一対の爪２００ｅ，２００ｅをスイッチ取付枠２０４に軸支されたカム２０５の長孔２０５ａに嵌合させる。この後、前記保護枠２０２の開放した下面からストッパー２０３の一方の脚片を、当該脚片に形成された係合溝２０３ａがシリンダー２００の六角柱部２００ｂに嵌り込むように挿入する。そして、この状態でストッパー２０３をねじＳ６により取付金具２０１に固定することによりシリンダー錠２００の鍔部２００ａが外扉２０の前面に当接してシリンダー錠２００が固着される。最後にスイッチ取付枠２０５のスイッチ取付片２０４ａに押釦スイッチＳＷをナットにより固着して補助ロック装置２の組付けが完了する。なお、図２に示した操作レバー２ａは断面コ字状のカム２０５の両脚片の間に取付けられる。  
【００１８】
図４は補助ロック装置２のロック状態、すなわち、外扉２０の前面からキー１４（図２参照）を挿入して施錠した状態を示し、この状態ではカム２０５が押釦スイッチＳＷの操作片ＳＷ１から離れた位置にある。前記キー１４を補助ロック装置２のシリンダー錠２００に挿入して解錠すると、シリンダー錠２００の内筒２００ｄが反時計方向に回転するとともにカム２０５が反時計方向に回動する。このカム２０５の回動により押釦スイッチＳＷの操作片ＳＷ１が押圧されて押釦スイッチＳＷが動作する。
【００１９】
次に、この発明の実施の形態にかかる自動販売機の機内給電系統について、図５に示す自動販売機の要部を概略的に示すブロック図を用いて説明する。図において、３は商用電源（ＡＣ１００Ｖ）、４は照明灯、５は冷却／加熱ユニット、６は販売制御部（コインメカニズム，ビルバリデータからの投入金額を商品の販売価格と比較して商品選択ボタンの販売可能ランプを点灯させたり、商品選択ボタンからの選択信号を受信して販売信号を送出する制御部）、７は商品払出機構（販売指令に基づいて商品収納ラックから商品を払出す例えばソレノイド駆動式の商品払出機構）、８はバッテリーを内蔵し、商用電源３の停電時には販売制御部６および商品払出機構７に電力を供給する予備電源装置としての無停電電源装置、９はオフディレータイマであり、このオフディレータイマ９の動作により瞬時に作動する常開接点を９ａで示している。ＳＷは前記補助ロック装置２に付属する押釦スイッチ（常開接点）であり、この押釦スイッチＳＷは無停電電源装置８と販売制御部６，商品払出機構７との間に接続されている。なお、販売制御部６は図示を省略しているが、ＡＣ／ＤＣ変換器を介して商用電源３に接続され、ＡＣ／ＤＣ変換器からのＤＣ２４ＶおよびＤＣ８Ｖの直流出力電圧により駆動されるものである。
【００２０】
この自動販売機は、図５のブロック図に示すように、照明灯４，冷却／加熱ユニット５，販売制御部６および商品払出機構７が商用電源３に接続され、常時は商用電源３からの電力供給を受けて稼動している。この常時において、商品補充などのために外扉２０を開放する際、補助ロック装置２がキー１４により解錠されると補助ロック装置２に付属する押釦スイッチＳＷが動作（補助ロック装置２と押釦スイッチＳＷの連繋については後述にて説明する）するが、オフディレータイマ９の常開接点９ａが開いていることにより無停電電源装置８から販売制御部６および商品払出機構７に電力が供給されることはない。ここで、自動販売機に電力を供給している商用電源３が停止（震災や電源コードの抜き取り）するとオフディレータイマ９が動作して常開接点９ａが瞬時に作動して無停電電源装置８から販売制御部６および商品払出機構７への電力の供給を可能な状態とする。しかしながら、無停電電源装置８と販売制御部６および商品払出機構７との間には補助ロック装置２に付属する押釦スイッチＳＷが挿入されているので、押釦スイッチＳＷが動作しない限り無停電電源装置８から販売制御部６および商品払出機構７に電力は供給されない。したがって、自動販売機の電源コード（プラグ）が故意に抜き取られて商用電源の停止状態にされてしまったとしても商品が故意に只取りされるのを防止するように構成されている。
【００２１】
一方、この自動販売機を災害時の飲料供給源として使用する場合（商用電源３の停止時）には補助ロック装置２をキー１４（図２参照）により解錠する。この場合、前記キー１４は自動販売機を管理する管理者が保管しているので、災害の発生を認知して自動販売機を飲料供給源として活用することが意識的に決定される。補助ロック装置２がキー１４により解錠されると、前述した図４で説明したとおり、シリンダー２００の内筒２００ｄが反時計方向に回転するとともにカム２０５が反時計方向に回動し、このカム２０５の回動により無停電電源装置８からオフディレータイマ９の常開設定９ａ，押釦スイッチＳＷを介して販売制御部６および商品払出機構７に電力が供給される。ここで、押釦スイッチＳＷの動作信号は販売制御部６にも送信されるように構成されており、この押釦スイッチＳＷの動作信号を受信した販売制御部６は災害運転モードの運転状態となり、商品選択ボタンの販売可能ランプを全て点灯させ、商品選択ボタンが操作される都度対応する商品払出機構７を動作させて商品を搬出し、この自動販売機を飲料供給源として動作させる。
【００２２】
前述した実施の形態で説明したように補助ロック装置２を、主ロック装置１とともに外扉２０を二重にロックする方式では高い防盗性が確保できるが、このような高い防盗性を必要としない場合や恰も二重ロック方式を採用しているように見せ掛けるためにダミーの補助ロック装置２を設けることもある。この場合には補助ロック装置２から操作レバー２ａ（図２参照）が取外される。なお、予備電源装置はバッテリーと商用電源の停止を検出するリレー等からなる停電検出装置と有し、停電検出装置によって商用電源の停止を検出してバッテリーから電力を供給するものであればよく、無停電電源装置に限定されるものではない。
【００２３】
前述したようにこの発明の実施の形態によれば、前面が開口した庫内に商品を温蔵，冷蔵状態に保存する本体キャビネット１０と、この本体キャビネット１０の開口を開閉する外扉２０と、この外扉２０を本体キャビネット１０にロックする主ロック装置１とシリンダー付補助ロック装置２とを備えた自動販売機であって、予備電源装置８を内蔵し、常時は商用電源3からの電力により運転制御され、商用電源３の停止時には予備電源装置８からの電力により商品を無料で供給する自動販売機において、前記シリンダー錠付補助ロック装置２のキー操作による解錠に基づいて予備電源装置８への切換えを行うように構成したことによって、災害発生時にはこの自動販売機を災害時の飲料供給源として使用することができる。このように、シリンダー錠付補助ロック装置２を予備電源装置８への切換えに使用することによってシリンダー錠付補助ロック装置２に自動販売機を二重にロックする機能と災害発生時に商用電源３から予備電源装置８への切換えを行う機能を持たせることができ、また、自動販売機の電源コード（プラグ）を故意に抜き取って商用電源３を停止状態として商品を只取りする悪戯にも対処することができる。
【００２４】
また、シリンダー錠付補助ロック装置２に災害発生時に商用電源３から予備電源装置８への切換えを行う機能を持たせるための構成として、キー操作により回転するシリンダー（内筒２００ｄ）に連結したカム２０５と、このカム２０５により動作する押釦スイッチＳＷを追加するのみでよく、さらに、押釦スイッチＳＷにオフディレータイマ９の接点９ａを直列接続するように構成することによって自動販売機の常時の稼動時に商品補充などのために補助ロック装置２を解錠した場合にも予備電源装置８から販売制御部６および商品払出機構７に電力が供給されることがない。
【産業上の利用可能性】
【００２５】
この発明は清涼飲料の自動販売機に限らず、パン，弁当などの食品自動販売機やカップ式コーヒー自動販売機などに適用することができ、災害発生時に食料供給源として有用である。
【図面の簡単な説明】
【００２６】
【図１】本発明の実施の形態にかかる自動販売機を示す正面図である。
【図２】図１における扉ロック装置を示し、（ａ）はその要部正面図、（ｂ）は（ａ）の側面図である。
【図３】図２における補助ロック装置の分解斜視図である。
【図４】図３の補助ロック装置の組立図である。
【図５】この発明の実施の形態にかかる自動販売機の機内系統を示すブロック図である。
【図６】清涼飲料を販売する一般的な自動販売機の構成を示す斜視図である。
【符号の説明】
【００２７】
１    主ロック装置
２    補助ロック装置
３    商用電源
６    販売制御部
７    商品払出機構
８    予備電源装置（無停電電源装置）
９    オフディレータイマ
１０    本体キャビネット
１４    キー
２０    外扉
２００    シリンダー錠
２０５    カム
ＳＷ    押釦スイッチ
【図１】
0004710709.tif 000002
【図２】
0004710709.tif 000003
【図３】
0004710709.tif 000004
【図４】
0004710709.tif 000005
【図５】
0004710709.tif 000006
【図６】
0004710709.tif 000007